(57)【要約】【課題】  食器類や浴槽、床面等の汚れ面を円滑且つ確実に洗浄することができると共に異物等が強固に付着していても、容易に掻き落とすことができる洗浄用具を提供する。【解決手段】  表面に一定長さの多数のカットパイル３を密に突設してなるカットパイル織物２をスポンジ材１の表面に接着してなる洗浄用具であって、カットパイル織物２は経糸と緯糸とによって織成される２枚の基布間にパイル糸を織り込み、このパイル板を切断することによって得られたもので、カットパイル３は真っ直ぐに突設してあり、従って、全てのカットパイル３の先端面が汚れ面に全面的に摺接して汚れ面を能率よく洗浄することができると共に、先端面の外周端角部で異物等の付着物を確実に掻き落とすことができる。【選択図】  図４
2007244598.tif 000002
【特許請求の範囲】
【請求項１】
経糸と緯糸とによって織成される２枚の基布間にパイル糸を織り込み、このパイル糸を切断することによって得られたカットパイル織物を、スポンジ材にそのカットパイル面を表面側に向けて接着していることを特徴とする洗浄用具。
【請求項２】
カットパイル織物は、パイル糸を経糸として織り込んだ経パイル織物であることを特徴とする請求項１に記載の洗浄用具。
【請求項３】
カットパイル織物を構成する経糸と緯糸およびパイル糸は、熱可塑性合成樹脂モノフィラメントであることを特徴とする請求項１または請求項２に記載の洗浄用具。
【請求項４】
熱可塑性合成樹脂モノフィラメントは、ポリエステルモノフィラメントであることを特徴とする請求項３に記載の洗浄用具。
【発明の詳細な説明】
【技術分野】
【０００１】
本発明は、食器類や鍋等の台所用品の洗浄、或いは、浴槽、浴室又は床面等の洗浄に適した表面に無数のカットパネルを設けてなる洗浄用具に関するものである。
【背景技術】
【０００２】
従来から、食器類或いは浴槽等を洗浄する用具としては柔軟性と吸水性に富んだスポンジ材が広く使用されており、このスポンジ材によれば食器類や浴槽を傷つけることなく洗浄することができるが、例えば、床面やタイル張りされた壁面の洗浄に使用した場合、汚れが強固に付着していると柔らかいスポンジ材では何回も擦らなければ汚れを落とすことができない事態が発生するばかりでなく、目地や溝等の凹部内に塵埃や異物等が付着していると、スホンジ材を該凹部に押しつけてもその付着面まで到達し難い状態となって洗浄することが困難になるといった問題点がある。
【０００３】
このため、例えば、特許文献１に記載されているように、レーヨンパイルやポリエステルパイル等のパイル層を形成してなる布地によってスポンジ材を被覆してなる洗浄タワシが開発され、この洗浄タワシによれば、パイルを目地や溝等の凹部内の奥底まで突出させることができるので、洗浄能力を増大させることができる。
【特許文献１】登録実用新案第３０９６８６４号公報
【発明の開示】
【発明が解決しようとする課題】
【０００４】
しかしながら、布地に形成している上記パイル層がループパイルよりなる場合には、凹部内に該ループパイルを突入させることができても、ループパイルが円弧状に湾曲しているために、凹部の隅角部に付着している汚れまで掻き落とすことができず、汚れが残存する虞れがある。
【０００５】
また、上記パイル層がループパイルを切断することによって形成されたカットパイル層からなる場合には、その切断面を凹部の隅角部にまで到達させることが可能となって汚れを掻き落とすことができるが、このカットパイルは、図７に示すように、一つのループパイルの凸円弧状に湾曲した先端部を切断して２本のカットパイルａ、ａに形成してなるなるものであるから、これらのカットパイルａ、ａの上端部はその切断面ｂ、ｂを互いに接合させる方向にフック状に湾曲した形状、即ち、切断面ｂ、ｂをパイル長方向に略平行に向けた状態に湾曲した形状となって、洗浄時には汚れ面に対して洗浄用具をフック状に湾曲した各カットパイルａの湾曲方向に往復動させる時にのみ、図８に示すように汚れ面に摺接する切断面ｂの外周端角部が汚れを掻き落とす作用を行い、洗浄用具をカットパイルａの湾曲方向に対して交差する方向に往復動させた場合には、図９に示すようにカットパイルａの湾曲部外周面が汚れ面に摺擦して切断面ｂの外周端角部による汚れの掻き落とし作用が殆ど行われず、ループパイルと同様な洗浄機能しか奏することができない。
【０００６】
このように、上記洗浄用具によれば汚れを掻き落とす場合に、その洗浄用具の汚れ面に対する摺擦方向によって洗浄能力が大きく変化するばかりでなく、汚れ面に摺接するのはカットパイルａの切断面ｂの外周端角部における一部のみであるから、効率のよい洗浄作用を発揮することができないといった問題点がある。
【０００７】
本発明はこのような問題点に鑑みてなされたもので、その目的とするところは、汚れ面に対してどの方向に摺擦させても、全てのパイルを掻き落とす方向に作用させて確実且つ効率のよい洗浄が行える洗浄用具を提供するにある。
【課題を解決するための手段】
【０００８】
上記目的を達成するために本発明の洗浄用具は、請求項１に記載したように、経糸と緯糸とによって織成される２枚の基布間にパイル糸を織り込み、このパイル糸を切断することによって得られたカットパイル織物を、スポンジ材にそのカットパイル面を表面側に向けて接着した構造を有している。
【０００９】
このように構成した洗浄用具において、請求項２に係る発明は、上記カットパイル織物は、パイル糸を経糸として織り込んだ経パイル織物であることを特徴とし、請求項３に係る発明は、このカットパイル織物を構成する経糸と緯糸およびパイル糸は、熱可塑性合成樹脂モノフィラメントであることを特徴とし、請求項４に係る発明は、この熱可塑性合成樹脂モノフィラメントとしてポリエステルモノフィラメントを使用していることを特徴とする。
【発明の効果】
【００１０】
本発明の洗浄用具によれば、経糸と緯糸とによって織成される２枚の基布間にパイル糸を織り込み、このパイル糸を切断することによって得られたカットパイル織物を、スポンジ材の表面に接着してなるものであるから、全てのカットパイルは先端部を湾曲させることなくスポンジ表面から真っ直ぐに突出した形状となっているため、床面や壁面の目地や溝であっても、カットパイルの先端部を容易に該目地や溝内に挿入することができて汚れを確実に掻き落とすことができる。
【００１１】
さらに、全てのカットパイルの切断端面はパイルの長さ方向に対して略直交する方向、即ち、汚れ面に対面する方向に向いているため、この洗浄用具のカットパイル面を汚れ面に当てがった状態においてはカットパイルの切断面が汚れ面に全面的に摺接した状態となり、従って、この状態から洗浄用具をどの方向に摺動させても、全てのカットパイルの切断面を汚れ面上で摺動させながら汚れを能率よく洗い落とすことができると共に、その切断面における外周端角部によって付着している異物等も容易に掻き落とすことができ、その上、目地や溝であってもその隅角部の汚れまで確実に除去することができて、汚れ面全体を効率よく円滑に洗浄することができるものである。
【００１２】
また、請求項２に係る発明によれば、スポンジ材の表面に接着している上記カットパイル織物は、パイル糸を経糸として織り込んだ経パイル織物であるから、経糸及び緯糸と共にパイル糸を当初から織り込みながら織物を織成しているので、パイル抜けが殆ど生じないカットパイル面を得ることができて長期の使用に供することができると共に、パイル糸を経糸として織り込んでいるので、カットパイルの密度が高くなり、一層、洗浄能力が増大した洗浄用具を提供することができる。
【００１３】
上記請求項１または請求項２に記載の発明において、請求項３または請求項４に係る発明によれば、カットパイル織物を構成する経糸と緯糸およびパイル糸として、ポリエステルモノフィラメント等の熱可塑性合成樹脂モノフィラメントを使用しているので、適度な柔軟性と硬さとを兼備して食器類であっても擦り傷をつけることなく汚れ面を能率よく洗浄することができるものである。
【発明を実施するための最良の形態】
【００１４】
次に、本発明の具体的な実施の形態を図面について説明すると、図１において、洗浄用具Ａはスポンジたわしの形状に形成された一定厚みと有するスポンジ材１と、このスポンジ材１の表面に接着しているカットパイル織物２とから構成されている。スポンジ材１は独立気泡の軟質ポリエチレンフォーム材等の吸水性を有する一定厚みの発泡合成樹脂材からなり、この発泡合成樹脂材を平面形状が矩形状、長円形状等の適宜なたわしの形状に裁断してなるものである。
【００１５】
一方、カットパイル織物２は、図２に示すように、経糸3aと緯糸3bとによって織成してなる基布2'に該基布2'の表面から上方に向かって直立状に突出する一定高さの多数のカットパイル３を織り込んでなるものであり、カットパイル３を表面側に向けて該カットパイル織物２の裏面を適宜な接着剤により上記スポンジ材１の表面に接着一体化させて洗浄用具Ａを形成している。なお、カットパイル織物２における経糸3aと緯糸3bとで囲まれた織目は、スポンジ材１の表面に連通するように、換言すればスポンジ材１の多数の微細な孔がカットパイル織物２の織目を通じて外部に連通するように接着されていて、洗浄液をカットパイル織物２の織目を通じてスポンジ材１内に吸収可能で、且つ、該織目を通じてスホンジ材１内から洗浄液をカットパイル織物２に供給可能となるように構成している。
【００１６】
上記カットパイル織物２を得るには、例えば、二重ビロード織機または二重カーペット織機等によって図３に示すように、経糸と緯糸3bとで上下二つの地組織からなる基布2'、2'を織成する際に、パイル糸3a' を経糸としてこれらの基布2'、2'間を連結するように織り込むことによってこれらの基布2'、2'を連結してなるフェイス・ツウ・フェイス・カーペット又はダブルフェイスカーペットと称されるパイルカーペットを織成し、このパイルカーペットを、パイル糸3a' の長さ方向の中央部を切断して二分割することによって得ることができる。
【００１７】
従って、上下２枚の基布2'、2'間を連結しているパイル糸3a' は真っ直ぐに緊張した状態となっているから、このパイル糸3a' の長さ方向の中央部を切断してなる全てのカットパイル３は、図４に示すように、基布2'の表面から上方に向かって真っ直ぐに直立した状態となり、且つ、その切断端面である先端面４は洗浄すべき汚れ面に対面する方向に向いた状態となっている。また、パイル糸3a' を経糸として織り込んでいるので、パイル抜けが生じ難いカットパイル面を形成することができる。なお、上記経糸3a、緯糸3b及びパイル糸3a' としては熱可塑性合成樹脂モノフィラメント、好ましくはポリエステルモノフィラメントを使用している。
【００１８】
このように構成した洗浄用具Ａによって食器類等の汚れ面Ｂを洗浄する場合、スポンジ材１を把持して図５に示すように、カットパイル織物２の表面から突設しているカットパイル３の先端面４を汚れ面Ｂに当接させると、全てのカットパイル３はカットパイル織物２から真っ直ぐに突出していてその先端面４が汚れ面Ｂに互いに平行に近い状態で対面しているので、該先端面４が全面的に汚れ面Ｂに圧接した状態となり、従って、この状態から洗浄用具Ａを汚れ面Ｂ上で前後左右、どの方向に摺動させても、全てのカットパイル３の先端面４が汚れ面Ｂ上を摺動して均等に洗浄機能を発揮すると共に、先端面４と汚れ面Ｂとの摺擦力によってカットパイル３が図６に示すように、摺動方向に対して反対方向に緩やかに撓んでその先端面４が摺動方向側から反対方向に向かって汚れ面Ｂから離れる方向に傾斜し、そのため、先端面４における摺動方向側の外周端角部が汚れ面Ｂに食い込む楔作用を発揮して汚れ面Ｂに付着している異物等を確実に掻き落とすことができるものである。
【００１９】
さらに、カットパイル織物２の表面から突設しているこれらの全てのカットパイル３は、上述したように、カットパイル織物２から真っ直ぐに突出しているので、床面の目地などに対しても該目地の奥底までその先端部を容易に挿入させることができて、目地等の凹部の隅角部まで確実に洗浄することができる。また、洗浄時には、スポンジ材１に洗浄液を含浸させておいてこの洗浄液１をカットパイル織物２の表面側に絞り出すことにより、カットパイル面と共に汚れ面Ｂを一層、効果的に洗浄することができる。
【図面の簡単な説明】
【００２０】
【図１】本発明の洗浄用具の簡略斜視図。
【図２】その表面に配設するカットパイル織物の一部の拡大斜視図。
【図３】カットパイル織物の製造方法を説明するための簡略断面図。
【図４】洗浄用具の一部を拡大した簡略縦断面図。
【図５】カットパイルを汚れ面に当接させた状態の簡略縦断面図。
【図６】汚れ面上を一方向に摺動させている状態の簡略縦断面図。
【図７】従来例の洗浄用具におけるカットパイル部分の簡略縦断図。
【図８】汚れ面上を一方向に摺動させている状態の簡略縦断面図。
【図９】別な方向に摺動させている状態の簡略縦断面図。
【符号の説明】
【００２１】
１  スポンジ材
２  カットパイル織物
３  カットパイル
3a  経糸
3a' パイル糸
3b  緯糸
４  先端面
【図１】
2007244598.tif 000003
【図２】
2007244598.tif 000004
【図３】
2007244598.tif 000005
【図４】
2007244598.tif 000006
【図５】
2007244598.tif 000007
【図６】
2007244598.tif 000008
【図７】
2007244598.tif 000009
【図８】
2007244598.tif 000010
【図９】
2007244598.tif 000011